(57)【特許請求の範囲】
【請求項１】
無線機筐体の外方に配設されるアンテナの取付部に、樹脂材からなる筒体を設け、この筒体の外面に筒体先端から軸方向に長い平面を形成し、前記筒体の筒体先端部が閉じた環状であるように、前記筒体の中間部に前記平面位置で筒体先端側を遊端としその外側の面を平面としまた遊端部に外側に突起した係合突部を有する弾性舌片を設け、前記無線機筐体に前記筒体の断面の外形に応じた孔形状の取付孔を貫通穿設し、この取付孔に前記筒体を前記弾性舌片を弾性変形させて嵌合挿入すると、前記弾性舌片の外側の前記平面が前記取付孔の内周面の平面に弾接するとともに前記係合突部が係合して引き抜き方向への移動が阻止されて、前記アンテナが前記無線機筐体に取り付けられるように構成したことを特徴とする無線機用アンテナ取付構造。
【請求項２】
無線機筐体の外方に配設されるアンテナの取付部に、樹脂材からなる筒体を設け、この筒体の外面に筒体先端から軸方向に長い平面を形成し、前記筒体の筒体先端部が閉じた環状であるように、前記筒体の中間部に前記平面位置で筒体先端側を遊端としその外側の面を平面としまた遊端部に外側に突起した係合突部を有する弾性舌片を設け、さらに前記筒体の外面で前記平面から軸回りにずれた位置に軸方向に長いリブを設け、前記無線機筐体に前記筒体の断面の外形に応じた孔形状の取付孔を貫通穿設し、この取付孔に前記筒体を前記弾性舌片を弾性変形させて嵌合挿入すると、前記弾性舌片の外側の前記平面が前記取付孔の内周面の平面に弾接するとともに前記係合突部が係合して引き抜き方向への移動が阻止され、しかも前記リブにより前記取付孔内で軸回りに前記筒体が回転しないようにして、前記アンテナが前記無線機筐体に取り付けられるように構成したことを特徴とする無線機用アンテナ取付構造。
【請求項３】
無線機筐体の外方に配設されるアンテナの取付部に、樹脂材からなる筒体を設け、この筒体を断面の外形をＤ字状としその外面に筒体先端から軸方向に長い平面を形成し、前記筒体の筒体先端部が閉じた環状であるように、前記筒体の中間部に前記平面位置で筒体先端側を遊端としその外側の面を平面としまた遊端部に外側に突起した係合突部を有する弾性舌片を設け、さらに前記筒体の外面で前記平面から軸回りに両側にずれた位置で軸方向に長いリブを２本設け、前記無線機筐体に前記筒体の断面の外形に応じた孔形状の取付孔を貫通穿設し、この取付孔に前記筒体を前記弾性舌片を弾性変形させて嵌合挿入すると、前記弾性舌片の外側の前記平面が前記取付孔の内周面の平面に弾接するとともに前記係合突部が係合して引き抜き方向への移動が阻止され、しかも前記リブにより前記取付孔内で軸回りに前記筒体が回転しないようにして、前記アンテナが前記無線機筐体に取り付けられるように構成したことを特徴とする無線機用アンテナ取付構造。
【請求項４】
無線機筐体の外方に配設されるアンテナの取付部に、樹脂材からなり断面の外形が円形の筒体を設け、前記筒体の筒体先端部が閉じた環状であるように、前記筒体の中間部に筒体先端側を遊端としその遊端部に外側に突起した係合突部を有する弾性舌片を設け、さらに前記筒体の外面に軸方向に長いリブを設け、前記無線機筐体に前記筒体の断面の外形に応じた孔形状の取付孔を貫通穿設し、この取付孔に前記筒体を前記弾性舌片を弾性変形させて嵌合挿入すると、前記弾性舌片が前記取付孔の内周面に弾接するとともに前記係合突部が係合して引き抜き方向への移動が阻止され、しかも前記リブにより前記取付孔内で軸回りに前記筒体が回転しないようにして、前記アンテナが前記無線機筐体に取り付けられるように構成したことを特徴とする無線機用アンテナ取付構造。
【請求項５】
請求項１ないし４記載のいずれかの無線機用アンテナ取付構造において、アンテナエレメントの基端に電気的接続された給電バネを前記筒体の筒体先端より突出して設け、前記取付孔に前記筒体を嵌合挿入すると、前記給電バネが前記無線機筐体内に配設された給電端子に弾接して電気的接続するように構成したことを特徴とする無線機用アンテナ取付構造。
【請求項６】
請求項１ないし４記載のいずれかの無線機用アンテナ取付構造において、アンテナエレメントを形成する線材の一端部を前記筒体の筒体先端より突出して設け、前記取付孔に前記筒体を嵌合挿入すると、前記線材の一端部が前記無線機筐体内に配設された給電端子に弾接して電気的接続するように構成したことを特徴とする無線機用アンテナ取付構造。
【請求項７】
請求項１ないし４記載のいずれかの無線機用アンテナ取付構造において、帯状導体をヘリカル状としてアンテナエレメントを形成するとともに、この帯状導体の一端部を前記筒体の筒体先端より突出して設け、前記取付孔に前記筒体を嵌合挿入すると、前記帯状導体の一端部が前記無線機筐体内に配設された給電端子に弾接して電気的接続するように構成したことを特徴とする無線機用アンテナ取付構造。
【発明の詳細な説明】
【０００１】
【発明の属する技術分野】
本発明は、無線機筐体に簡単にアンテナを取り付けることができる無線機用アンテナ取付構造に関するものである。
【０００２】
【従来の技術】
無線機筐体に簡単に取り付けることのできる従来のアンテナの一例の構造を図９に示す。図９は、従来のアンテナを示し、（ａ）は正面図であり、（ｂ）は底面拡大図である。図９において、ヘリカル状のアンテナエレメント１０の基端側の取付部に、樹脂材からなり軸方向と直交する断面の外形が円形な筒体１２が、アンテナエレメント１０の軸方向に設けられる。この筒体１２の筒体先端面より軸方向に２本のスリット２２、２２が設けられ、筒体先端側を遊端とする弾性舌片１４が形成される。そして、この弾性舌片１４の遊端部に、外側に突起した係合突部１６が設けられる。また、筒体１２の外面に軸方向に長い１本のリブ１８が設けられる。さらに、アンテナエレメント１０の基端部に適宜に電気的接続された給電バネ２０が、筒体１２の筒体先端より突出して設けられる。
【０００３】
かかる構成のアンテナに対して、無線機筐体は図示されていないが、無線機筐体に筒体１２の軸方向と直交する断面の外形に応じた取付孔が貫通穿設される。そして、この取付孔に筒体１２を弾性舌片１４を弾性変形させて嵌合挿入すると、係合突部１６が無線機筐体の内壁面などに係合して引き抜き方向の移動が阻止される。また、給電バネ２０が無線機筐体内に適宜に配設された給電端子に弾接して電気的接続がなされる。したがって、無線機筐体の取付孔にアンテナの筒体１２を挿入することで、簡単にアンテナを固定できるとともにアンテナの電気的接続が適宜になされる。なお、リブ１８により、取付孔に挿入し得る筒体１２の姿勢が特定されるとともに、取付孔内で軸回りに筒体１２の回転が阻止される。
【０００４】
【発明が解決しようとする課題】
上述のごとき従来のアンテナの構造にあっては、その取り付けが簡単であるが、筒体１２の筒体先端部の強度が不十分であって破損され易いという不具合があった。これは、筒体先端面よりスリット２２、２２が設けられて弾性舌片１４が形成されているので、筒体１２の先端部の断面形状は円の一部が切り欠かれたＣ字状であることに起因している。そこで、無線機筐体にアンテナを取り付ける際に、取付孔に対して筒体１２が少しずれて挿入されると、筒体１２の筒体先端部が弾性変形して弾性舌片１４に変形し得ない方向に過大な力が作用した場合に破損されるというものであった。また、取り付け後にあっても、無線機筐体から突出して取り付けられているアンテナに強い曲げ方向の力が作用すると、やはり筒体１２の先端部が弾性変形して弾性舌片１４が破損される虞がある。
【０００５】
本発明は、上述の従来技術を改善するためになされたもので、アンテナの取付部の筒体の先端部の強度が小さくならず、しかも従来と同様に無線機筐体にアンテナを簡単に取り付けることのできる無線機用アンテナ取付構造を提供することを目的とする。
【０００６】
【課題を解決するための手段】
かかる目的を達成するために、本発明の無線機用アンテナ取付構造は 、無線機筐体の外方に配設されるアンテナの取付部に、樹脂材からなる筒体を設け、この筒体の外面に筒体先端から軸方向に長い平面を形成し、前記筒体の筒体先端部が閉じた環状であるように、前記筒体の中間部に前記平面位置で筒体先端側を遊端としその外側の面を平面としまた遊端部に外側に突起した係合突部を有する弾性舌片を設け、前記無線機筐体に前記筒体の断面の外形に応じた孔形状の取付孔を貫通穿設し、この取付孔に前記筒体を前記弾性舌片を弾性変形させて嵌合挿入すると、前記弾性舌片の外側の前記平面が前記取付孔の内周面の平面に弾接するとともに前記係合突部が係合して引き抜き方向への移動が阻止されて、前記アンテナが前記無線機筐体に取り付けられるように構成されている。
【０００７】
また、無線機筐体の外方に配設されるアンテナの取付部に、樹脂材からなる筒体を設け、この筒体の外面に筒体先端から軸方向に長い平面を形成し、前記筒体の筒体先端部が閉じた環状であるように、前記筒体の中間部に前記平面位置で筒体先端側を遊端としその外側の面を平面としまた遊端部に外側に突起した係合突部を有する弾性舌片を設け、さらに前記筒体の外面で前記平面から軸回りにずれた位置に軸方向に長いリブを設け、前記無線機筐体に前記筒体の断面の外形に応じた孔形状の取付孔を貫通穿設し、この取付孔に前記筒体を前記弾性舌片を弾性変形させて嵌合挿入すると、前記弾性舌片の外側の前記平面が前記取付孔の内周面の平面に弾接するとともに前記係合突部が係合して引き抜き方向への移動が阻止され、しかも前記リブにより前記取付孔内で軸回りに前記筒体が回転しないようにして、前記アンテナが前記無線機筐体に取り付けられるように構成しても良い。
【０００８】
そして、無線機筐体の外方に配設されるアンテナの取付部に、樹脂材からなる筒体を設け、この筒体を断面の外形をＤ字状としその外面に筒体先端から軸方向に長い平面を形成し、前記筒体の筒体先端部が閉じた環状であるように、前記筒体の中間部に前記平面位置で筒体先端側を遊端としその外側の面を平面としまた遊端部に外側に突起した係合突部を有する弾性舌片を設け、さらに前記筒体の外面で前記平面から軸回りに両側にずれた位置で軸方向に長いリブを２本設け、前記無線機筐体に前記筒体の断面の外形に応じた孔形状の取付孔を貫通穿設し、この取付孔に前記筒体を前記弾性舌片を弾性変形させて嵌合挿入すると、前記弾性舌片の外側の前記平面が前記取付孔の内周面の平面に弾接するとともに前記係合突部が係合して引き抜き方向への移動が阻止され、しかも前記リブにより前記取付孔内で軸回りに前記筒体が回転しないようにして、前記アンテナが前記無線機筐体に取り付けられるように構成しても良い。
【０００９】
さらに、無線機筐体の外方に配設されるアンテナの取付部に、樹脂材からなり断面の外形が円形の筒体を設け、前記筒体の筒体先端部が閉じた環状であるように、前記筒体の中間部に筒体先端側を遊端としその遊端部に外側に突起した係合突部を有する弾性舌片を設け、さらに前記筒体の外面に軸方向に長いリブを設け、前記無線機筐体に前記筒体の断面の外形に応じた孔形状の取付孔を貫通穿設し、この取付孔に前記筒体を前記弾性舌片を弾性変形させて嵌合挿入すると、前記弾性舌片が前記取付孔の内周面に弾接するとともに前記係合突部が係合して引き抜き方向への移動が阻止され、しかも前記リブにより前記取付孔内で軸回りに前記筒体が回転しないようにして、前記アンテナが前記無線機筐体に取り付けられるように構成しても良い。
【００１０】
そしてまた、アンテナエレメントの基端に電気的接続された給電バネを前記筒体の筒体先端より突出して設け、前記取付孔に前記筒体を嵌合挿入すると、前記給電バネが前記無線機筐体内に配設された給電端子に弾接して電気的接続するように構成することも可能である。
【００１１】
さらにまた、アンテナエレメントを形成する線材の一端部を前記筒体の筒体先端より突出して設け、前記取付孔に前記筒体を嵌合挿入すると、前記線材の一端部が前記無線機筐体内に配設された給電端子に弾接して電気的接続するように構成することも可能である。
【００１２】
そしてさらに、帯状導体をヘリカル状としてアンテナエレメントを形成するとともに、この帯状導体の一端部を前記筒体の筒体先端より突出して設け、前記取付孔に前記筒体を嵌合挿入すると、前記帯状導体の一端部が前記無線機筐体内に配設された給電端子に弾接して電気的接続するように構成することも可能である。
【００１３】
【発明の実施の形態】
以下、本発明の第１実施例を図１ないし図３を参照して説明する。図１は、本発明の無線機用アンテナ取付構造の第１実施例のアンテナを示し、（ａ）は正面図であり、（ｂ）は側面図であり、（ｃ）はアンテナを無線機筐体に取り付けた図である。図２は、図１（ｃ）のＡ−Ａ断面矢視拡大図である。図３は、図１（ｃ）の底面拡大図である。図１ないし図３において、図９と同じまたは均等な部材には同じ符号を付けて重複する説明を省略する。
【００１４】
図において、アンテナエレメント１０の基端は、導電金具３６に固定されて電気的接続され、さらにこの導電金具３６に給電バネ２０が固定されて電気的接続される。そして、導電金具３６に樹脂材からなる筒体１２が圧入やインサート成形による一体成形などにより適宜に固定される。この筒体１２のアンテナエレメント１０の基端側の外面には、雄ネジが刻設され、アンテナエレメント１０を覆うように樹脂材からなるカバー２４が配設されて螺合固定される。さらに、筒体１２の外面には、筒体先端より軸方向に長い平面２６が形成され、筒体１２の軸方向と直交する断面の外形が略Ｄ字状とされる。そして、筒体１２の中間部で平面２６の位置に、弾性舌片１４が設けられる。この弾性舌片１４は、筒体先端側を遊端とし、その外側の面が平面とされ、さらに遊端部に外側に突起した係合突部１６が形成される。なお、弾性舌片１４を設けるためのスリット２８は、コ字状であって、筒体先端に達していない。また、筒体１２の外面に、平面２６から軸回りに両側に９０度ずれて２本のリブ１８、１８が軸方向に長くそれぞれに設けられる。
【００１５】
また、無線機筐体３０には、筒体１２の軸方向と直交する断面の外形に応じて、略Ｄ字状であるとともにリブ１８、１８に対応する溝が設けられた取付孔３２が貫通穿設される。そして、この取付孔３２に、アンテナの筒体１２が弾性舌片１４を弾性変形させながら嵌合挿入される。挿入された状態では、弾性舌片１４が取付孔３２の内周壁に弾接するとともに、係合突部１６が無線機筐体３０の内壁面に係合して引き抜き方向への移動が阻止される。また、給電バネ２０が無線機筐体３０内に配設される給電端子３４に弾接して電気的接続がなされる。なお、取付孔３２に対して、筒体１２はその断面形状およびリブ１８、１８により、嵌合挿入できる姿勢が特定される。
【００１６】
かかる構成の第１実施例において、筒体１２の筒体先端部は閉じた環状であり、強度が小さくならず、従来のものに比較して強度が大きい。そこで、アンテナを取り付ける際に、弾性舌片１４が破損されにくい。また、取り付け後においても、アンテナが横方向の力を受けても破損されにくい。さらに、取り付け状態で、弾性舌片１４の外側を向いた平面が、取付孔３２の断面Ｄ字状を形成する内周面の平面に弾接し、接触面が広い分だけ強固に固定がなされる。また、弾性舌片１４の平面とその両側に９０度ずれた２本のリブ１８、１８の少なくとも３箇所で、筒体１２は取付孔３２に支持固定されており、この点からも安定した強固な固定が得られる。しかも、２本のリブ１８、１８は、軸回りにほぼ１８０度ずれて配設されており、リブ１８、１８の間の距離が最も長くとれ、アンテナの軸回りの回転も確実に阻止される。
【００１７】
次に、本発明の第２実施例を図４を参照して説明する。図４は、本発明の無線機用アンテナ取付構造の第２実施例の縦断面図である。図４において、図１ないし図３および図９と同じまたは均等な部材には、同じ符号を付けて重複する説明を省略する。
【００１８】
図４の第２実施例にあっては、アンテナエレメント１０を形成する線材をそのアンテナ基端部近くでつぶして変形させ、さらに基端側に長く伸設する。そして、つぶして変形された基端部近くに、樹脂材からなるスペーサ４０がインサート成形などにより一体成形されて固定される。さらに、この一体化されたアンテナエレメント１０とスペーサ４０が、カバー２４と筒体１２が樹脂材により一体成形された部材内に挿入されて適宜に固定される。アンテナエレメント１０から伸設された線材の一端部は、筒体１２の筒体先端より突出される。筒体１２には、第１実施例と同様に弾性舌片１４などが設けられている。さらに、筒体１２の外面に、軸回りに数本の環状リブ４２、４２が設けられ、この環状リブ４２、４２の外形寸法は、取付孔３２の内径寸法と小さな交差で形成される。
【００１９】
かかる構成で、筒体１２にＯリングなどの環状弾性体４４を嵌挿して、無線機筐体３０の取付孔３２に筒体１２が嵌合挿入される。ここで、筒体１２は環状リブ４２、４２が押し潰されるように取付孔３２に圧入される。しかも、取り付け状態では、環状弾性体４４が軸方向に圧縮されて弾性変形される。すると、環状リブ４２、４２により筒体１２は取付孔３２内で横方向の遊びが無く、また環状弾性体４４の弾力により筒体１２は引き抜き方向に弾性付勢されているが、係合突部１６により係合されて引き抜き方向への移動が阻止されているので軸方向の遊びもない。よって、無線機筐体３０に対してアンテナは、姿勢がぐらつくことなしに確実に固定される。
【００２０】
また、本発明の第３実施例を図５を参照して説明する。図５は、本発明の無線機用アンテナ取付構造の第３実施例の縦断面図である。図５において、図１ないし図４および図９と同じまたは均等な部材には、同じ符号を付けて重複する説明を省略する。
【００２１】
図５の第３実施例にあっては、アンテナエレメント１０を形成する線材をそのアンテナ基端部近くで例えばＳ字状に屈曲させ、さらに基端側に長く伸設する。そして、このＳ字状部分に、樹脂材からなるスペーサ４０が一体成形により固定される。さらに、第２実施例と同様に、この一体化されたアンテナエレメント１０とスペーサ４０が、カバー２４と筒体１２が樹脂材で一体成形された部材内に挿入されて適宜に固定される。アンテナエレメント１０から伸設した線材の一端部は、筒体１２の筒体先端より突出される。また、筒体１２には、第１実施例と同様に弾性舌片１４などが設けられている。さらに、弾性舌片１４は、遊端側ほど肉が厚く形成されて遊端側ほどその弾力が強くされる。また、係合突部１６の無線機筐体３０の内壁面などに係合する面が少し傾斜されている。
【００２２】
かかる構成で、無線機筐体３０の取付孔３２に筒体１２を取り付けた状態では、無線機筐体３０の内壁面に係合突部１６の傾斜した面が弾接していて、楔効果により、筒体１２は軸方向で挿入方向に弾性付勢され、筒体１２に軸方向の遊びが生じない。また、弾性舌片１４は遊端側の弾力がより強くなり、やはり取付孔３２内で筒体１２に横方向の遊びが生ずることもない。よって、第２実施例と同様に、無線機筐体３０に対してアンテナは、姿勢がぐらつくことなしに確実に固定される。
【００２３】
さらに、本発明の第４実施例を図６を参照して説明する。図６は、本発明の無線機用アンテナ取付構造の第４実施例の縦断面図である。図６において、図１ないし図５および図９と同じまたは均等な部材には、同じ符号を付けて重複する説明を省略する。
【００２４】
図６の第４実施例にあっては、図４の第２実施例におけるアンテナエレメント１０を線材で形成するのに代えて、アンテナエレメント１０が帯状導体でヘリカル状とされてヘリカルアンテナに形成され、その一端部が筒体１２の筒体先端より突出される。しかも、アンテナエレメント１０のヘリカル状は、帯状導体の厚さ方向がヘリカル状の軸方向で、幅方向がヘリカル状の半径方向となるように形成される。
【００２５】
かかる構成で、帯状導体の厚さ方向がヘリカル状の軸方向とされているので、狭いピッチでヘリカル状に形成できる。また、帯状導体の幅と厚さを適宜に設定することで、図４の第２実施例よりも、筒体１２の筒体先端より突出した一端部が無線機筐体３０内の給電端子３４により強い弾力で弾接でき、それだけ確実な電気的接続が得られる。
【００２６】
さらにまた、本発明の第５実施例を図７を参照して説明する。図７は、本発明の無線機用アンテナ取付構造の第５実施例の縦断面図である。図７において、図１ないし図６および図９と同じまたは均等な部材には、同じ符号を付けて重複する説明を省略する。
【００２７】
図７の第５実施例にあっては、図５の第３実施例の線材に代えて、アンテナエレメント１０が帯状導体でヘリカル状とされてヘリカルアンテナに形成され、その一端部が筒体１２の筒体先端より突出される。しかも、アンテナエレメント１０のヘリカル状は、帯状導体の幅方向がヘリカル状の軸方向で、厚さ方向がヘリカル状の半径方向となるように形成される。
【００２８】
かかる構成で、帯状導体の幅方向がヘリカル状の軸方向とされているので、軸方向にその形状が変化されにくく、それだけヘリカル状のピッチが変動することがなく、アンテナ特性が安定している。しかも、帯状導体の厚さ方向がヘリカル状の半径方向とされるので、巻き径を小さくすることもできる。また、図６の第４実施例と同様に、帯状導体の厚さと幅を適宜に設定することで、図５の第３実施例よりも、筒体１２の筒体先端より突出した一端部が無線機筐体３０内の給電端子３４により強い弾力で弾接でき、それだけ確実な電気的接続が得られる。
【００２９】
そしてさらに、本発明の第６実施例を図８を参照して説明する。図８は、本発明の無線機用アンテナ取付構造の第６実施例を示し、（ａ）はアンテナの正面図であり、（ｂ）は無線機筐体に取り付けた状態で（ａ）のＢ−Ｂ断面矢視拡大図である。図８において、図１ないし図７および図９と同じまたは均等な部材には、同じ符号を付けて重複する説明を省略する。
【００３０】
図８の第６実施例にあっては、筒体１２はその軸方向と直交する断面の外形が略円形であり、その中間部に弾性舌片１４が設けられる。この弾性舌片１４は、筒体先端側を遊端とし、その遊端部に外側に突起した係合突部１６が形成される。そして、弾性舌片１４の外側を向いた面は筒体１２と同様に断面外形が円弧状とされる。なお、弾性舌片１４を設けるためのスリット２８は、コ字状であって、筒体先端に達していない。また、筒体１２の外面に１本のリブ１８が軸方向に長く設けられる。そして、無線機筐体３０には、筒体１２の断面の外形に応じた形状の取付孔３２が穿設される。
【００３１】
かかる構成の第６実施例にあっては、筒体１２の先端部は閉じた環状であって、他の実施例と同様に、筒体１２の先端部の強度が小さくならず、取り付けの際などに破損されることがない。
【００３２】
なお、上記実施例において、アンテナは、無線機筐体３０に固定されるヘリカル状のアンテナエレメント１０で構成されているが、これに限られず、引き出し収納自在なホイップアンテナエレメントであっても良く、また固定されたヘリカルアンテナエレメントと引き出し収納自在なホイップアンテナエレメントで構成されても良く、さらには引き出し収納自在なホイップアンテナエレメントとその先端に固定されたヘリカルアンテナエレメントで構成されたものなどであっても良い。また、筒体１２の断面の外形は、上記実施例のごとく円やＤ字状に限られず、小判形や四角形や六角形などであっても良い。そして、弾性舌片１４は、１本に限られず、複数本設けられても良い。そしてさらに、筒体１２の外面に軸方向に長く設けるリブ１８、１８は、筒体１２の断面の外形により軸回りの回転が充分に阻止されるならば設けなくても良い。また、リブ１８、１８は、１本または２本に限られず、３本以上であっても良く、その位置も本数も上記実施例に限られるものでない。
【００３３】
【発明の効果】
以上説明したように、本発明の無線機用アンテナ取付構造は構成されているので、以下のごとき格別な効果を奏する。
【００３４】
請求項１記載の無線機用アンテナ取付構造にあっては、筒体の先端部が閉じた環状であり、筒体の先端部の強度が小さくなることがなく、取り付けの際などの破損されにくい。また、取付孔と弾性舌片が平面で弾接するので、広い面積で接触していて、安定した固定がなされる。しかも、筒体に設けた平面により、軸回りの回転が阻止される。
【００３５】
請求項２記載の無線機用アンテナ取付構造にあっては、請求項１と同様な効果が得られるとともに、軸方向に長いリブにより、筒体が取付孔内で軸回りに回転するのがより確実に阻止される。
【００３６】
請求項３記載の無線機用アンテナ取付構造にあっては、請求項１と同様な効果が得られるとともに、筒体の平面に対して軸回りに両側にずらして設けられた２本のリブにより、筒体は取付孔に対して少なくとも３箇所で弾接支持され、安定した姿勢で固定がなされる。
【００３７】
請求項４記載の無線機用アンテナ取付構造にあっては、弾性舌片を筒体の中間部に設けたので、筒体の先端部は閉じた環状であり、その強度が小さくなるようなことがなく、取り付けの際などに、従来の構造に比較して破損されにくい。
【００３８】
請求項５記載の無線機用アンテナ取付構造にあっては、無線機筐体の取付孔にアンテナの取付部の筒体を嵌合挿入するだけで、アンテナが固定されるのと同時に電気的接続がなされ、その取付作業が極めて簡単である。
【００３９】
請求項６記載の無線機用アンテナ取付構造にあっては、アンテナエレメントを形成する線材の一端部を筒体の先端から突出するようにして、取り付けた状態でこの線材の一端部が無線機筐体内に配設された給電端子に弾接して電気的接続されるようにしたので、アンテナの給電構造が単純であり確実に電気的導通が得られるとともに、部品点数が少なく量産に好適である。
【００４０】
請求項７記載の無線機用アンテナ取付構造にあっては、アンテナエレメントを帯状導体でヘリカル状に形成するので、厚さ方向をヘリカル状の軸方向とすれば狭いピッチのヘリカルアンテナを形成でき、また幅方向をヘリカル状の軸方向とするならばピッチが変形しにくくしかも巻き径の小さなヘリカルアンテナを形成できる。しかも、帯状導体の一端部を筒体の先端から突出するようにして、取り付けた状態でこの帯状導体の一端部が無線機筐体内に配設された給電端子に弾接して電気的接続されるようにしたので、帯状導体の厚さと幅を適宜に設定することで、より強い弾力で弾接して確実な電気的導通が得られる。
【図面の簡単な説明】
【図１】本発明の無線機用アンテナ取付構造の第１実施例のアンテナを示し、（ａ）は正面図であり、（ｂ）は側面図であり、（ｃ）はアンテナを無線機筐体に取り付けた図である。
【図２】図１（ｃ）のＡ−Ａ断面矢視拡大図である。
【図３】図１（ｃ）の底面拡大図である。
【図４】本発明の無線機用アンテナ取付構造の第２実施例の縦断面図である。
【図５】本発明の無線機用アンテナ取付構造の第３実施例の縦断面図である。
【図６】本発明の無線機用アンテナ取付構造の第４実施例の縦断面図である。
【図７】本発明の無線機用アンテナ取付構造の第５実施例の縦断面図である。
【図８】本発明の無線機用アンテナ取付構造の第６実施例を示し、（ａ）はアンテナの正面図であり、（ｂ）は無線機筐体に取り付けた状態で（ａ）のＢ−Ｂ断面矢視拡大図である。
【図９】従来のアンテナを示し、（ａ）は正面図であり、（ｂ）は底面拡大図である。
【符号の説明】
１０  アンテナエレメント
１２  筒体
１４  弾性舌片
１６  係合突部
１８  リブ
２０  給電バネ
２２、２８  スリット
２６  平面
３０  無線機筐体
３２  取付孔
３４  給電端子
【図１】
0004132399.tif 000002
【図２】
0004132399.tif 000003
【図３】
0004132399.tif 000004
【図４】
0004132399.tif 000005
【図５】
0004132399.tif 000006
【図６】
0004132399.tif 000007
【図７】
0004132399.tif 000008
【図８】
0004132399.tif 000009
【図９】
0004132399.tif 000010